(57)【要約】【課題】殿部に対するフィット性を改善する。【解決手段】上記課題は、後身頃Ｂの外装体２０における脚開口部の縁２９と内装体１０側縁との間の領域である尻斜め下領域を通るパターンで設けられ、かつその尻斜め下領域内に位置する中間部が外装体２０に固定されずに殿部の膨らみに応じて移動可能な自由部２６ｆとされ、この自由部２６ｆの一端側及び他端側が外装体２０に対する固定部２６ｂとされた背側湾曲弾性部材２６を有し、背側湾曲弾性部材２６の自由部２６ｆの幅方向移動領域が、少なくとも後身頃Ｂの外装体２０における脚開口部の縁２９近傍から内装体１０側縁の側方近傍まで延在されていることを特徴とするパンツタイプ使い捨ておむつ１により解決される。【選択図】図３
2014068851.tif 000002
【特許請求の範囲】
【請求項１】
前身頃及び後身頃を形成する外装体と、この外装体の内面に固定された、吸収体を含む内装体とを備え、前記前身頃における外装体の両側部と後身頃における外装体の両側部とがそれぞれ接合されてサイドシール部が形成されることにより、ウエスト開口部及び左右一対の脚開口部が形成され、
前記外装体における後身頃に、一方のサイドシール部から一方の脚開口部に沿って股間部に向かい、股間部を横断し、かつ他方の脚開口部に沿って他方のサイドシール部に至るパターンで、湾曲しつつ延在する細長状の背側湾曲弾性部材を備えた、
パンツタイプ使い捨ておむつにおいて、
前記背側湾曲弾性部材として、後身頃の外装体における脚開口部の縁と内装体側縁との間の領域である尻斜め下領域を通るパターンで設けられ、かつその尻斜め下領域内に位置する中間部が前記外装体に固定されずに外装体に対して移動可能な自由部とされ、この自由部の一端側及び他端側が前記外装体に固定された背側湾曲弾性部材を有し、
前記背側湾曲弾性部材の自由部の幅方向移動領域が、少なくとも前記後身頃の外装体における脚開口部の縁近傍から前記内装体側縁の側方近傍まで延在されている、
ことを特徴とするパンツタイプ使い捨ておむつ。
【請求項２】
前記背側湾曲弾性部材は、間隔を空けて複数本並設されており、かつそのうちの脚開口部の縁側に位置する一本又は複数本はその全体が外装体に固定されるとともに、残りは前記自由部及び固定部を有するものとされている、請求項１記載のパンツタイプ使い捨ておむつ。
【請求項３】
前記背側湾曲弾性部材の自由部が、サイドシール部又はその近傍から前記内装体の側部まで延在されている、請求項１又は２記載のパンツタイプ使い捨ておむつ。
【請求項４】
前記尻斜め下領域に、前記背側湾曲弾性部材以外の弾性部材が設けられていない、請求項１〜３のいずれか１項に記載のパンツタイプ使い捨ておむつ。
【請求項５】
前記外装体における前後身頃に、一方のサイドシール部から一方の脚開口部に沿って股間部に向かい、股間部を横断し、かつ他方の脚開口部に沿って他方のサイドシール部に至るパターンで、湾曲しつつ延在する細長状の腹側湾曲弾性部材を備えるとともに、
前記腹側湾曲弾性部材として、前身頃の外装体における脚開口部の縁と内装体側縁との間の領域である鼠径領域を通るパターンで設けられ、かつその鼠径領域内に位置する中間部が前記外装体に固定されずに下腹部の膨らみに応じて外装体に対して移動可能な自由部とされ、この自由部の一端側及び他端側が前記外装体に固定された腹側湾曲弾性部材を有し、
前記腹側湾曲弾性部材の自由部の幅方向移動領域が、少なくとも前記前身頃の外装体における脚開口部の縁近傍から前記内装体側縁の側方近傍まで延在されている、
請求項１〜４のいずれか１項に記載のパンツタイプ使い捨ておむつ。
【発明の詳細な説明】
【技術分野】
【０００１】
本発明は、殿部に対するフィット性を改善したパンツタイプ使い捨ておむつに関する。
【背景技術】
【０００２】
パンツタイプ使い捨ておむつは、前身頃及び後身頃を形成する外装体と、この外装体の内面に固定された、吸収体を含む内装体とを備え、外装体の前身頃と後身頃とが両側部において接合されてサイドシール部が形成されることにより、ウエスト開口部及び左右一対の脚開口部が形成されているものである。
【０００３】
パンツタイプ使い捨ておむつにおいては、身体へのフィット性を向上させるために、外装体に、種々の弾性部材を伸長状態で固定することが行われており、中でも、ウエスト部弾性部材、腰回り弾性部材及び湾曲弾性部材を備えているもの（例えば特許文献１参照）は、比較的に身体に対するフィット性が高いものとなっている。ここに、ウエスト部弾性部材は、ウエスト開口部の縁部に、縦方向に間隔を空けて幅方向に沿って複数本平行に配置されているものである。また、腰回り弾性部材は、ウエスト部弾性部材よりも前後方向中央部側の領域に、縦方向に間隔を空けて幅方向に沿って配置されているものである。さらに、湾曲弾性部材は、前身頃及び後身頃の少なくとも一方において、一方のサイドシール部から一方の脚開口部に沿って股間部に向かい、股間部を横断し、かつ他方の脚開口部に沿って他方のサイドシール部に至るパターンで、湾曲しつつ延在するものである。これら弾性部材は、幅方向中央部における内装体と重なる部分を細かく切断し、内装体の収縮を防止することが一般的である。
【０００４】
この湾曲弾性部材の外装体に対する固定は、一般に、外装体における湾曲弾性部材の固定部位に予めホットメルト接着剤を塗布し、この塗布部分に湾曲弾性部材を上記パターンで供給し、接着することにより行われている。また、ウエスト部弾性部材及び腰回り弾性部材については、弾性部材の外周面にホットメルト接着剤を塗布した後に、外装体における固定部位に供給し、接着する手法が一般的となっている。
【先行技術文献】
【特許文献】
【０００５】
【特許文献１】特開２００６−０４３４１５号公報
【特許文献２】特開２０１１−１７７２８５号公報
【特許文献３】特開２００８−１７３２８５号公報
【発明の概要】
【発明が解決しようとする課題】
【０００６】
しかしながら、従来のパンツタイプ使い捨ておむつは、個人差の大きい殿部の膨らみ、中でも殿溝から膨らみの頂部にかけての斜め下側の部分に対して、フィット性が不十分となることがあった。
【０００７】
そこで本発明の主たる課題は、殿部に対するフィット性を改善することにある。
【課題を解決するための手段】
【０００８】
上記課題を解決すべく研究した結果、次のような知見が得られた。すなわち、パンツタイプ使い捨ておむつでは、装着者の殿溝から膨らみの頂部にかけての部分と対向する領域は、主に、後身頃の外装体における脚開口部の縁と、内装体側縁との間の領域（以下、尻斜め下領域ともいう）である。従来、この尻斜め下領域には、腰回り弾性部材又は湾曲弾性部材が配されることにより、フィット性が確保されていた。しかし、殿部の膨らみの形状・寸法・位置の個人差は大きく、腰回り弾性部材でフィット性を確保しようとしても、幅方向に沿う配置では良好なフィット性を得ることはできない。これに対して、湾曲弾性部材は殿部の膨らみに沿う（少なくとも腰回り弾性部材よりはそれに近い）配置であるため、腰回り弾性部材よりは段差部に対するフィット性向上効果は望めるが、その位置が固定されているため、個人差に適応することはできず、フィット性が不十分となる場合がある。以下に述べる本発明は、このような知見に基づいてなされたものである。
【０００９】
＜請求項１記載の発明＞
前身頃及び後身頃を形成する外装体と、この外装体の内面に固定された、吸収体を含む内装体とを備え、前記前身頃における外装体の両側部と後身頃における外装体の両側部とがそれぞれ接合されてサイドシール部が形成されることにより、ウエスト開口部及び左右一対の脚開口部が形成され、
前記外装体における後身頃に、一方のサイドシール部から一方の脚開口部に沿って股間部に向かい、股間部を横断し、かつ他方の脚開口部に沿って他方のサイドシール部に至るパターンで、湾曲しつつ延在する細長状の背側湾曲弾性部材を備えた、
パンツタイプ使い捨ておむつにおいて、
前記背側湾曲弾性部材として、後身頃の外装体における脚開口部の縁と内装体側縁との間の領域である尻斜め下領域を通るパターンで設けられ、かつその尻斜め下領域内に位置する中間部が前記外装体に固定されずに外装体に対して移動可能な自由部とされ、この自由部の一端側及び他端側が前記外装体に固定された背側湾曲弾性部材を有し、
前記背側湾曲弾性部材の自由部の幅方向移動領域が、少なくとも前記後身頃の外装体における脚開口部の縁近傍から前記内装体側縁の側方近傍まで延在されている、
ことを特徴とするパンツタイプ使い捨ておむつ。
【００１０】
（作用効果）
本発明では、敢えて背側湾曲弾性部材を尻斜め下領域を通るパターンで設けるとともに、その尻斜め下領域内に位置する中間部を外装体に固定せずに移動可能な自由部とし、この自由部の幅方向移動領域を少なくとも尻斜め下領域の大部分としたことによって、背側湾曲弾性部材の自由部が、装着者によって異なる殿部の膨らみの形状・寸法・位置に応じて移動する。例えば、殿部の膨らみが大きい場合、その周りを包むように自由部が移動し、また、殿部の膨らみが小さい場合にはこれを直線的に横断するように自由部が位置することができる。その結果、個人差に関係なく殿部に対して良好にフィットする。
なお、背側湾曲弾性部材を部分的に外装体に固定しないものとして特許文献２記載のものが提案されているが、これは目的も非固定部位も異なるものである。また、特許文献３記載のものは殿部の膨らみに応じて僅かに移動するかもしれないが、その移動領域は実質的に無いものである。
【００１１】
＜請求項２記載の発明＞
前記背側湾曲弾性部材は、間隔を空けて複数本並設されており、かつそのうちの脚開口部の縁側に位置する一本又は複数本はその全体が外装体に固定されるとともに、残りは前記自由部及び固定部を有するものとされている、請求項１記載のパンツタイプ使い捨ておむつ。
【００１２】
（作用効果）
このように背側湾曲弾性部材を複数設けるとともに、その脚開口部の縁側の背側湾曲弾性部材は全固定として脚開口部の縁部をしっかりとフィットさせ、ひらひらとしないようにしつつ、残りの内装体側の背側湾曲弾性部材に自由部を設けて、殿部に対するフィット性を向上させると、全体としてのフィット性がより好ましいものとなる。
【００１３】
＜請求項３記載の発明＞
前記背側湾曲弾性部材の自由部が、サイドシール部又はその近傍から前記内装体の側部まで延在されている、請求項１又は２記載のパンツタイプ使い捨ておむつ。
【００１４】
（作用効果）
自由部の長さは適宜定めればよいが、このような範囲とすることにより、殿部に対するフィット性が好ましいものとなる。
【００１５】
＜請求項４記載の発明＞
前記尻斜め下領域に、前記背側湾曲弾性部材以外の弾性部材が設けられていない、請求項１〜３のいずれか１項に記載のパンツタイプ使い捨ておむつ。
【００１６】
（作用効果）
前述のように、従来、尻斜め下領域には腰回り弾性部材を設けることも行われていたが、背側湾曲弾性部材の自由部の移動が阻害されるため、おそれもあるため、本発明では設けないことが望ましい。
＜請求項５記載の発明＞
前記外装体における前後身頃に、一方のサイドシール部から一方の脚開口部に沿って股間部に向かい、股間部を横断し、かつ他方の脚開口部に沿って他方のサイドシール部に至るパターンで、湾曲しつつ延在する細長状の腹側湾曲弾性部材を備えるとともに、
前記腹側湾曲弾性部材として、前身頃の外装体における脚開口部の縁と内装体側縁との間の領域である鼠径領域を通るパターンで設けられ、かつその鼠径領域内に位置する中間部が前記外装体に固定されずに下腹部の膨らみに応じて外装体に対して移動可能な自由部とされ、この自由部の一端側及び他端側が前記外装体に固定された腹側湾曲弾性部材を有し、
前記腹側湾曲弾性部材の自由部の幅方向移動領域が、少なくとも前記前身頃の外装体における脚開口部の縁近傍から前記内装体側縁の側方近傍まで延在されている、
請求項１〜４のいずれか１項に記載のパンツタイプ使い捨ておむつ。
【００１７】
（作用効果）
下腹部の膨らみの形状・寸法・位置も個人差が大きいが、上述のように腹側湾曲弾性部材に自由部を設けることにより、腹側湾曲弾性部材の自由部が、装着者によって異なる下腹部の膨らみの形状・寸法・位置に応じて移動する。例えば、下腹部の膨らみが大きい場合、その周りを包むように自由部が移動し、また、下腹部の膨らみが小さい場合にはこれを直線的に横断するように自由部が位置することができる。その結果、個人差に関係なく下腹部、特に鼠径部に対して良好にフィットする。
なお、腹側湾曲弾性部材を部分的に外装体に固定しないものとして特許文献２記載のものが提案されているが、これは目的も非固定部位も異なるものである。また、特許文献３記載のものは下腹部の膨らみに応じて移動可能なものではない。
【発明の効果】
【００１８】
以上のとおり、本発明によれば、殿部に対するフィット性が改善される、等の利点がもたらされる。
【図面の簡単な説明】
【００１９】
【図１】展開状態のパンツタイプ使い捨ておむつの平面図（内面側）である。
【図２】展開状態のパンツタイプ使い捨ておむつの平面図（外面側）である。
【図３】展開状態のパンツタイプ使い捨ておむつの要部平面図である。
【図４】図１のＣ−Ｃ断面図である。
【図５】図１のＡ−Ａ断面図である。
【図６】図１のＢ−Ｂ断面図である。
【図７】パンツタイプ使い捨ておむつの装着状態の斜視図である。
【図８】臀部の膨らみが大きい場合における、着用時の背側湾曲弾性部材の位置を示す概略図である。
【図９】臀部の膨らみが小さい場合における、着用時の背側湾曲弾性部材の位置を示す概略図である。
【図１０】接着剤塗布パターンを示す平面図である。
【図１１】接着剤塗布パターンを示す平面図である。
【発明を実施するための形態】
【００２０】
以下、本発明の一実施形態について、添付図面を参照しつつ詳説する。なお、用語「伸長率」は自然長を１００％としたときの値を意味する。
図１〜図７は実施形態のパンツタイプ使い捨ておむつ１を示している。このパンツタイプ使い捨ておむつ１（以下、単におむつともいう。）は、前身頃Ｆ及び後身頃Ｂをなす外装体２０と、この外装体２０の内面に固定され一体化された内装体１０とを有しており、内装体１０は液透過性表面シート１１と液不透過性裏面側シート１２との間に吸収体１３が介在されてなるものである。製造に際しては、外装体２０の内面（上面）に対して内装体１０の裏面がホットメルト接着剤Ｇなどの接合手段によって固定された後に、内装体１０および外装体２０が前身頃Ｆ及び後身頃Ｂの境界である縦方向（前後方向）中央で折り畳まれ、その両側部が相互に熱溶着またはホットメルト接着剤などによって接合されてサイドシール部２１が形成されることによって、図７に示すように、ウエスト開口部及び左右一対の脚開口部が形成されたパンツタイプ使い捨ておむつ１となる。
【００２１】
（内装体の構造例）
内装体１０は、図４〜図６に示すように、不織布などからなる液透過性表面シート１１と、ポリエチレン等からなる液不透過性裏面側シート１２との間に、吸収体１３を介在させた構造を有しており、表面シート１１を透過した排泄液を吸収保持するものである。
【００２２】
吸収体１３の表面側（肌当接面側）を覆う液透過性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。液透過性表面シート１１に多数の透孔を形成した場合には、尿などが速やかに吸収されるようになり、ドライタッチ性に優れたものとなる。液透過性表面シート１１は、吸収体１３の側縁部を巻き込んで吸収体１３の裏面側まで延在している。
【００２３】
吸収体１３の裏面側（非肌当接面側）を覆う液不透過性裏面側シート１２は、ポリエチレンまたはポリプロピレンなどの液不透過性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートである。
【００２４】
吸収体１３としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができ、図示例では平面形状を略方形状として成形されたものが使用され、その幅寸法は股間部への当たりによって着用者にゴワ付き感を与えない寸法幅となっている。この吸収体１３は、形状及びポリマー保持等のため、必要に応じてクレープ紙等の、液透過性及び液保持性を有する包装シート１４によって包装することができる。吸収体１３の形状は、図示形態のように長方形状とする他、背側及び腹側に対して股間部の幅が狭い砂時計形状（括れ形状）とすることもできる。
【００２５】
内装体１０の両側部には脚周りにフィットする立体ギャザーＢＳが形成されているのが好ましい。この立体ギャザーＢＳはギャザー不織布１５により形成される、ギャザー不織布としては、図５及び図６に示されるように、折返しによって二重シートとした不織布が好適に用いられ、液透過性表面シート１１によって巻き込まれた吸収体１３の側縁部をさらにその上側から巻き込んで吸収体１３の裏面側まで延在して接着されている。より具体的には、ギャザー不織布１５は、おむつ１の長手方向中間部では、立体ギャザーＢＳ形成部分を残し、幅方向中間部から吸収体１３の裏面側に亘る範囲がホットメルト接着剤等によって接着され、また長手方向前後端部では、幅方向中間部から一方側端縁までの区間が吸収体１３の裏面側に亘る範囲で接着されるとともに、立体ギャザーＢＳを形成する部分を吸収体１３の上面部にて折り畳むようにしながらホットメルト接着剤等により接着している。
【００２６】
二重シート不織布によって形成されたギャザー不織布１５の内部には、起立先端側部分に複数本の糸状弾性伸縮部材１６が配設されている。糸状弾性伸縮部材１６は、製品状態において図５に二点鎖線で示すように、弾性伸縮力により吸収体側縁部より突出する不織布部分を起立させて立体ギャザーＢＳを形成するためのものである。
【００２７】
液不透過性裏面側シート１２は、二重シート状のギャザー不織布１５の内部まで進入し、図５に示されるように、立体ギャザーＢＳの下端側において防漏壁を構成するようになっていることが好ましい。この液不透過性裏面側シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００２８】
糸状弾性伸縮部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５ｄｔｅｘ以下、テンションは１５０〜３５０％、間隔は７．０ｍｍ以下として配設するのがよい。なお、糸状弾性伸縮部材に代えて、ある程度の幅を有するテープ状弾性伸縮部材を用いるようにしてもよい。
【００２９】
前述のギャザー不織布１５を構成する素材繊維も液透過性表面シート１１と同様に、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらにギャザー不織布１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００３０】
（内装体と外装体との固定）
内装体１０は、図２に示すように、その裏面の適宜の領域８０にホットメルト接着剤Ｇを塗布し、外装シート２０の内面に固定することができるが、図示例のように、脚の動きに対する内装体１０の追従性を向上させる観点から、股間部における固定領域８３の幅を狭くする、例えば内装体１０の幅の３０〜４５％程度とするのが好ましく、股間部の前後両側の固定領域８１，８２は内装体１０をしっかりと固定するために幅を広くし、特に両側縁近傍まで延在させるのが好ましい。
このような形状の固定領域８０は、ホットメルト接着剤Ｇを幅方向に複数列並べて塗布するとともに、中間部については前後方向に連続的に、両側部については間欠的（股間部では塗布せず）に、それぞれ塗布することにより形成することができる。
【００３１】
（前後押えシート）
図１及び図４にも示されるように、外装体２０の内面上に取り付けられた内装体１０の前後端部をカバーし、且つ内装体１０の前後縁からの漏れを防ぐために、前後押えシート５０，６０が設けられている。図示形態について更に詳細に説明すると、前押えシート５０は、前身頃Ｆ内面のうちウエスト側端部の折り返し部分２０Ｃの内面から内装体１０の前端部と重なる位置まで幅方向全体にわたり延在しており、後押えシート６０は、後身頃Ｂ内面のうちウエスト側端部の折り返し部分２０Ｃの内面から内装体１０の後端部と重なる位置まで幅方向全体にわたり延在している。前後押えシート５０，６０の股下側縁部に幅方向の全体にわたり（中央部のみでも良い）若干の非接着部分を設けると、接着剤が食み出ないだけでなく、この部分を表面シートから若干浮かせて防漏壁として機能させることができる。
【００３２】
図示形態のように、前後押えシート５０，６０を別体として取り付けると、素材選択の自由度が高くなる利点があるものの、資材や製造工程が増加する等のデメリットもある。そのため、外装体２０をおむつ１内面に折り返してなる折り返し部分２０Ｃを、内装体１０と重なる部分まで延在させて、前述の押えシート５０，６０と同等の部分を形成することもできる。
【００３３】
（外装体の構造例）
外装体２０は、図２〜図４にも示されるように、それぞれ上層不織布２０Ａ及び下層不織布２０Ｂ（つまり、この形態では下層不織布が最外側不織布となる）からなる２層構造の不織布シートとされ、上層不織布２０Ａと下層不織布２０Ｂとの間、及び下層不織布２０Ｂをウエスト開口縁で内面側に折り返してなる折り返し部分２０Ｃの不織布間に各種弾性部材が配設され、伸縮性が付与されている。平面形状は、中間両側部にそれぞれ脚開口部を形成するために形成された凹状の脚回りライン(脚開口部の縁２９)により、全体として砂時計に似た形状をなしている。
【００３４】
特に、図示形態の外装体２０においては、弾性部材として、図１〜図３に示される展開形状において、ウエスト開口部近傍２３に配置されたウエスト部弾性部材２４と、前身頃Ｆ及び後身頃Ｂに、縦方向に間隔をおいて幅方向に沿って配置された複数の腰回り弾性部材２５とを有するとともに、前身頃Ｆ及び後身頃Ｂのそれぞれにおいて、腰回り弾性部材群２５とは別に、一方のサイドシール部２１から一方の脚開口部に沿って股間部に向かい、股間部を横断し、かつ他方の脚開口部に沿って他方のサイドシール部２１に至るパターンで湾曲しつつ延在する、互いに交差することなく間隔をおいて配置された複数本の湾曲弾性部材２６，２８を備えている。これら、弾性部材２４〜２８は、それぞれその延在方向に沿って所定の伸長率で伸長された状態で取り付けられている。なお、本外装体２０では、脚開口部の縁２９に沿って前身頃Ｆのサイドシール部から後身頃Ｂのサイドシール部２１まで連続する弾性部材は設けられていない。
【００３５】
ウエスト部弾性部材２４は、前身頃Ｆと後身頃Ｂとが接合されたサイドシール部２１の範囲の内、ウエスト開口縁近傍に縦方向に間隔をおいて配置された複数条の糸ゴム等の細長状弾性部材であり、身体のウエスト部回りを締め付けるように伸縮力を与えることによりおむつを身体に装着するためのものである。このウエスト部弾性部材２４は、図示例では糸ゴムを用いたが、例えばテープ状の伸縮部材等、他の細長状弾性部材を用いてもよい。また、図示形態のウエスト部弾性部材２４は、ウエスト部における下層不織布２０Ｂの折り返し部分２０Ｃの不織布間に挟持されているが、上層不織布２０Ａと下層不織布２０Ｂとの間に挟持しても良い。
【００３６】
腰回り弾性部材２５は、サイドシール部２１と対応する縦方向範囲の内、概ね上部から下部までの範囲に亘り、縦方向に間隔をおいて配置された糸ゴム等の細長状弾性部材であり、前身頃Ｆ及び後身頃Ｂの腰回り部分に夫々幅方向の伸縮力を与え、おむつを身体に密着させるためのものである。なお、ウエスト部弾性部材２４と腰回り弾性部材２５との境界は必ずしも明確でなくてよい。例えば、前身頃Ｆ及び後身頃Ｂに縦方向に間隔をおいて幅方向に配置された弾性部材の内、数は特定できなくても、ウエスト側の何本かがウエスト部弾性部材として機能し、残りの弾性部材が腰回り弾性部材として機能していればよい。
【００３７】
後身頃Ｂにおいて、腰回り弾性部材２５とは別に配設された背側湾曲弾性部材２６は、糸ゴム等の細長状弾性部材であり、後身頃Ｂの外装体２０における脚開口部の縁２９と内装体１０側縁との間の領域である尻斜め下領域（内装体１０側方の略三角形状の領域）を通る所定の曲線に沿って配置されている。背側湾曲弾性部材２６は、一本であっても良いが複数本であるのが好ましく、図示例では５本の糸ゴム等の細長状弾性部材であり、これら背側湾曲弾性部材２６は互いに交差することなく、間隔をおいて配置されている。この背側湾曲弾性部材群２６は、２，３本程度の弾性部材を間隔を密にして実質的に一束として配置されるのではなく、所定の伸縮ゾーンを形成するように３〜２０ｍｍ、好ましくは６〜１６ｍｍ程度の間隔を空けて、３本以上、好ましくは５本以上配置される。
【００３８】
一方、外装体２０の前身頃Ｆにおいて、腰回り弾性部材群２５とは別に配設された腹側湾曲弾性部材２８も糸ゴム等の細長状弾性部材であり、前身頃Ｆの外装体２０における脚開口部の縁２９と内装体１０側縁との間の領域である鼠径領域（内装体１０側方の略三角形状の領域）を通る所定の曲線に沿って配置されている。腹側湾曲弾性部材２８は、一本であっても良いが複数本であるのが好ましく、図示例では５本の糸状弾性部材であり、これら腹側湾曲弾性部材２８は、互いに交差することなく、間隔をおいて配置されている。この腹側湾曲弾性部材群２８も、２，３本程度の弾性部材を間隔を密にして実質的に一束として配置されるのではなく、所定の伸縮ゾーンを形成するように３〜２０ｍｍ、好ましくは６〜１６ｍｍ程度の間隔を空けて、３本以上、好ましくは５本以上配置される。
【００３９】
なお、図示例では、前身頃Ｆ及び後身頃Ｂに配置された腰回り弾性部材２５及び湾曲弾性部材２６，２８は、図３に示すように、製造時に外装体に対して連続的に固定した後に、内装体と重なる部分の一部または全部が、所定の切断パターンＣＰで細かく切断されて収縮力が作用しない非収縮部分（つまり、図３の切断パターンＣＰと重なる部分）とされ、この非収縮部分より側方に湾曲しつつ延在する部分が収縮力の作用する収縮部分（つまり、図３の切断パターンＣＰより側方の、腰回り弾性部材２５及び湾曲弾性部材２６，２８が連続的に残された部分）とされている。このため、腰回り弾性部材２５及び湾曲弾性部材２６，２８は、一方側のサイドシール部２１から内装体１０を横切って他方（反対）側のサイドシール部２１まで連続的に設けた後に、内装体と重なる部分の一部または全部が、細かく切断される。これにより、内装体（特に吸収体１３）の幅方向の縮こまりをより防止することができる。もちろん、腰回り弾性部材２５及び湾曲弾性部材２６，２８を、内装体１０を横切って連続的に配置することもできる。
【００４０】
上述した外装体２０は、例えば特開平４−２８３６３号公報や、特開平１１−３３２９１３号公報記載の技術により製造することができる。また、湾曲弾性部材２６，２８を内装体１０上で切断し不連続化するには、特開２００２−３５０２９号公報、特開２００２−１７８４２８号公報及び特開２００２-２７３８０８号公報に記載される切断方法が好適に採用される。
【００４１】
図示例とは異なり、湾曲弾性部材を、前身頃Ｆ及び後身頃Ｂのいずれか一方にのみ設けるだけでも良い。また、湾曲弾性部材２６，２８を、前身頃Ｆ及び後身頃Ｂの両方に設ける場合、前身頃Ｆ側に配置された湾曲弾性部材の群の一部又は全部と、後身頃Ｂ側に配置された湾曲弾性部材Ｂの群の一部又は全部とが交差する形態（図示せず）も採用できるが、図示例のように、前身頃Ｆ側に配置された湾曲弾性部材２８の群と、後身頃Ｂ側に配置された湾曲弾性部材Ｂの群とは互いに交差することなく前後方向中間部、特に前身頃Ｆに若干偏った位置で縦方向に離間している形態が好適であり、その最小縦方向離間距離は１０〜１５ｍｍ程度とするのが好ましい。
【００４２】
さらに、湾曲弾性部材２６，２８はその全体が湾曲していなくても良く、部分的に直線状の部分を有していても良い。
【００４３】
弾性部材２４〜２８の固定時の伸長率は適宜定めることができるが、通常の成人用の場合、ウエスト部弾性部材２４は２３０〜３２０％程度、腰回り弾性部材２５は２３０〜３２０％程度、湾曲弾性部材２６，２８は２３０〜３２０％％程度とすることができる。
【００４４】
（弾性部材のホットメルト接着剤による固定）
ウエスト部弾性部材２４、腰回り弾性部材２５及び湾曲弾性部材２６，２８は、外装体２０を構成する一対のシート層２０Ａ，２０Ｂの間に挟まれるとともに、それらシート層２０Ａ，２０Ｂに対してホットメルト接着剤により接着固定されており、そのホットメルト接着剤の塗布量は外装体２０の柔軟性を大きく左右する。よって、ウエスト部弾性部材２４及び腰回り弾性部材２５の固定のための接着部分は、ウエスト部弾性部材２４の配置部分及びその近傍、腰回り弾性部材２５の配置部分及びその近傍のみとするのが好ましい。このような接着剤の塗布は、外周面に接着剤を塗布した弾性部材２４，２５を両シート層２０Ａ，２０Ｂで挟むことにより実現することができ、そのような弾性部材２４，２５の外周面への接着剤の塗布は例えば、ノードソン社のシュアラップノズルにより行うことができる。
【００４５】
一方、湾曲弾性部材２６，２８を両シート層２０Ａ，２０Ｂに固定するための接着剤は、矩形の接着剤塗布部分Ｂ２が湾曲弾性部材２６，２８の湾曲方向に沿って階段状に並設されることにより、湾曲弾性部材２６，２８の固定部位及びその近傍にのみ接着剤が塗布されている。このような接着剤の塗布は、塗布工程においてシート層２０Ａ，２０Ｂの横方向（おむつの幅方向）が製造ラインＭＤ方向（流れ方向）に沿う通常の形態では、製造ラインＣＤ方向（ＭＤ方向と交差する方向）に複数のスロット塗布ノズルを並設し、各ノズルから独立的かつ間欠的に接着剤を塗布することにより行うことができる。もちろん、公知の接触式又は非接触式の塗布装置を用いて塗布しても良い。なお、ホットメルト接着剤の接触式塗布装置は、ホットメルト接着剤を塗工する際、噴出機を塗布対象に接触させるものであり、スロットコーターやロールコーター等を例示することができる。一方、非接触式塗布装置は、ホットメルト接着剤を塗工する際、噴出機を塗布対象に接触させずに、エアーによりホットメルト接着剤を散布するものであり、螺旋状に塗工できるスパイラル塗布装置、波状に塗工できるオメガ塗布装置やコントロールシーム塗布装置、面状に塗工できるカーテン塗布装置、点状に塗工できるドット塗布装置等を例示することができる。
【００４６】
特徴的には、後身頃Ｂの外装体２０における脚開口部の縁２９と内装体１０側縁との間の領域である尻斜め下領域内に位置する中間部が外装体２０に固定されずに殿部の膨らみに応じて外装体２０に対して移動可能な自由部２６ｆとされ、かつこの自由部２６ｆの一端側及び他端側が外装体２０に対する固定部２６ｂとされた背側湾曲弾性部材２６を備えている。
【００４７】
背側湾曲弾性部材２６における自由部２６ｆ及び固定部２６ｂ、並びに自由部２６ｆの移動領域は、背側湾曲弾性部材２６をシート層間２０Ａ，２０Ｂ間に固定するための接着剤Ｂ２の塗布パターンにより形成することができ、図３、図１０、図１１に示すように、接着剤Ｂ２の塗布部位が固定部２６ｂとなり、非塗布部位が移動部２６ｆ及びその移動領域となる。図示例ではこの非塗布部位、つまり自由部２６ｆの移動領域が、尻斜め下領域内装体１０の幅方向一方側と重なる部位から脚開口部の縁２９の近傍まで延在されている。自由部２６ｆの移動領域の内方端は、内装体１０の側縁の側方近傍までとしても良い。自由部２６ｆは移動可能であり、伸長状態で取り付けられているため、展開状態では図３等に示すように直線状となる。
【００４８】
背側湾曲弾性部材２６における自由部２６ｆの内方端は、内装体１０の側縁より側方に位置していても良いが、図示形態のように内装体１０の側部に位置しているのが好ましく、また、自由部２６ｆの外方端は、サイドシール部２１より股間側に位置していても良いが、図示形態のようにサイドシール部２１の近傍（又はサイドシール部２１に外方端の固定部２６ｂを設けても良い）に位置していることが望ましい。また、背側湾曲弾性部材２６を複数並設する場合、各背側湾曲弾性部材２６における自由部２６ｆの外方端及び内方端の幅方向位置（自由部２６ｆ両側の固定部２６ｂの始端位置）を、図１０に示すように揃えるのではなく、図１１に示すように、ウエスト側に向かうにつれて幅方向中央側に位置するようにずらすと、自由部２６ｆにおける間隔をより広く確保することができる。なお、図３の形態における、各背側湾曲弾性部材２６における自由部２６ｆの内方端のように、縦方向位置を揃えることもできる。
【００４９】
図示形態の背側湾曲弾性部材２６は、脚開口部の縁側に位置する１，２本はその全体が外装体２０に固定されるとともに、内装体１０側の残りが自由部２６ｆを有するものとされているため、脚開口部の縁側の背側湾曲弾性部材２６は全固定として脚開口部の縁部をしっかりとフィットさせ、ひらひらとしないようにしつつ、残りの内装体１０側の背側湾曲弾性部材２６に自由部２６ｆを設けて、殿部に対するフィット性を向上させることができる。しかし、全ての背側湾曲弾性部材２６が自由部２６ｆを有する形態としても良い。
【００５０】
以上のように構成されたパンツタイプ使い捨ておむつでは、背側湾曲弾性部材２６の自由部２６ｆが、装着者によって異なる殿部の膨らみの形状・寸法・位置に応じて移動する。例えば、図８に示すように殿部１００の膨らみが大きい場合、同図（ａ）に示す初期状態から同図（ｂ）に示すように殿部１００の周りを包むように自由部２６ｆが移動する。また、図９に示すように殿部１００の膨らみが小さい場合には、同図（ａ）に示す初期状態から同図（ｂ）に示すように殿部１００を直線的に横断するように自由部２６ｆが位置することができる。つまり、個人差に関係なく殿部に対して良好にフィットする。
【００５１】
前述の尻斜め下領域には腰回り弾性部材２５を設けても良いが、背側湾曲弾性部材２６の自由部２６ｆの移動が阻害されるおそれがあるため、背側湾曲弾性部材２６以外の弾性部材は設けないことが望ましい。
【００５２】
必要に応じて、図３に示すように腹側湾曲弾性部材２８についても同様とする、すなわち、図示形態では、前身頃Ｆの外装体２０における脚開口部の縁２９と内装体１０側縁との間の領域である鼠径領域を通るパターンで設けられ、かつその鼠径領域内に位置する中間部が外装体２０に固定されずに下腹部の膨らみに応じて移動可能な自由部２８ｆとされ、この自由部２８ｆの一端側及び他端側が外装体２０に対する固定部２８ｂとされた腹側湾曲弾性部材２８を備えるとともに、腹側湾曲弾性部材２８の自由部２６ｆの幅方向移動領域が、少なくとも前身頃Ｆの外装体２０における脚開口部の縁２９近傍から内装体１０側縁の側方近傍まで延在されている。この場合も、殿部のフィット性改善と同様に、下腹部の膨らみが大きい場合、その周りを包むように自由部２８ｆが移動し、また、下腹部の膨らみが小さい場合にはこれを直線的に横断するように自由部２８ｆが位置することができるため、個人差に関係なく下腹部（特に鼠径部）に対して良好にフィットするようになる。
【産業上の利用可能性】
【００５３】
本発明は、上記例のようなパンツタイプ使い捨ておむつにおいて利用できるものである。
【符号の説明】
【００５４】
Ｂ…後身頃、Ｆ…前身頃、１…パンツタイプ使い捨ておむつ、１０…内装体、１１…液透過性表面シート、１２…液不透過性裏面側シート、１３…吸収体、１４…包装シート、１５…ギャザー不織布、１６…糸状弾性伸縮部材、２０…外装体、２０Ｃ…折り返し部分、２１…サイドシール部、２４…ウエスト部弾性部材、２５…腰回り弾性部材、２６，２８…湾曲弾性部材、２６…背側湾曲弾性部材、２６ｆ…自由部、２６ｂ…固定部、２８…腹側湾曲弾性部材、２９…脚開口部の縁。
【図１】
2014068851.tif 000003
【図２】
2014068851.tif 000004
【図３】
2014068851.tif 000005
【図４】
2014068851.tif 000006
【図５】
2014068851.tif 000007
【図６】
2014068851.tif 000008
【図７】
2014068851.tif 000009
【図８】
2014068851.tif 000010
【図９】
2014068851.tif 000011
【図１０】
2014068851.tif 000012
【図１１】
2014068851.tif 000013